(57)【要約】【課題】親機と複数の子機との間での電話帳データの無線転送の容易化並びに電話帳データの共通化を実現することができるコードレス通話システムを提供する。【解決手段】通話機能を備えた親機１０に対して無線接続可能な複数の子機２０，３０の各記憶部２２，２３に対して、その無線接続により親機１０の記憶部１２に記憶された電話帳データを同時に記憶させる。【選択図】      図１
2006262269.tif 000002
【特許請求の範囲】
【請求項１】
通話機能を備えた親機と、この親機と無線接続される複数の子機とを備え、前記各機は少なくとも相手先の電話番号を含む電話帳データの記憶が可能な記憶部と、該記憶部への電話帳データの記憶操作を行うための操作部とを備えたコードレス通話システムにおいて、
前記親機は、その記憶部に記憶された電話帳データを前記操作部を利用した所定の操作によって前記複数の子機の全てに対して同時に無線転送することを特徴とするコードレス通話システム。
【請求項２】
前記親機は、その記憶部に前記複数の子機の前記記憶部に記憶されている電話帳データが存在していない場合には、前記複数の子機から存在していない電話帳データを取得することを特徴とする請求項１に記載のコードレス通話システム。
【請求項３】
前記親機は、新たな電話帳データの追加若しくは修正があった場合には、その電話帳データの登録終了操作と同時に前記子機の全て対して追加若しくは修正された電話帳データを同時に無線登録することを特徴とする請求項１又は請求項２に記載のコードレス通話システム。
【請求項４】
前記親機は、前記記憶部に記憶されている電話帳データの消去があった場合には、その電話帳データの消去終了操作と同時に前記子機の全て対して消去された電話帳データを同時に無線消去することを特徴とする請求項１又は請求項２に記載のコードレス通話システム。
【請求項５】
前記親機は、前記複数の子機から前記親機の前記記憶部に記憶された電話帳データの無線転送要求がされた場合には、前記複数の子機の全てに対して同時に電話帳データを無線転送することを特徴とする請求項１乃至請求項４の何れか１項に記載のコードレス通話システム。
【発明の詳細な説明】
【技術分野】
【０００１】
本発明は、通話機能を備えた親機と、この親機と無線接続される複数の子機とを備えたコードレス通話システムに関する。
【背景技術】
【０００２】
従来から、通話専用機やファクシミリ等の通信機能を兼備した複合通話機といった通話機能を備えた親機と、この親機と無線接続可能な複数の子機とを備えたコードレス通話システムが周知である。尚、以下において、親機と子機の全ての機器を含む場合、或いは限定されない何れの機器を称する場合には『通話機器』と称する。
【０００３】
また、このようなコードレス通話システムには、各通話機器にメモリが搭載されており、電話帳データの記憶が可能となっているコードレス通話システムが知られている（例えば、特許文献１参照）。
【０００４】
この特許文献１に記載のコードレス通話システムにあっては、子機と親機との間の内線通話機能を利用して、子機側からの指令に基づいて親機側に登録されている特定の電話帳データを子機側のメモリ手段に転送してこれを子機側に記憶できるようにしている。
【０００５】
これにより、子機側で指定された電話帳データがそのまま子機側のメモリ手段に記憶され、子機側にて電話帳データの再入力操作をすることなく、以後この電話帳データを利用して子機からの発呼処理を行うことができる。
【特許文献１】特開平７−２６４２９４号公報
【発明の開示】
【発明が解決しようとする課題】
【０００６】
ところで、上記の如く構成されたコードレス通話システムにあっては、子機側からの指令に基づいて親機側に登録されている特定の電話帳データを子機側のメモリ手段に転送してこれを子機側に記憶する構成であるが、電話帳データを子機に登録する際には１台１台登録しなければならず、その登録操作を行うのはユーザにとって非常に手間となった。
【０００７】
そこで、本発明は、上記事情を考慮し、親機と複数の子機との間での電話帳データの無線転送の容易化並びに電話帳データの共通化を実現することができるコードレス通話システムを提供することを目的とする。
【課題を解決するための手段】
【０００８】
請求項１に記載のコードレス通話システムは、通話機能を備えた親機と、この親機と無線接続される複数の子機とを備え、前記各機は少なくとも相手先の電話番号を含む電話帳データの記憶が可能な記憶部と、該記憶部への電話帳データの記憶操作を行うための操作部とを備えたコードレス通話システムにおいて、前記親機は、その記憶部に記憶された電話帳データを前記操作部を利用した所定の操作によって前記複数の子機の全てに対して同時に無線転送することを特徴とする。
【０００９】
請求項１に記載のコードレス通話システムによれば、通話機能を備えた親機に対して無線接続可能な複数の子機の各記憶部に対して、その無線接続により親機の記憶部に記憶された電話帳データを同時に記憶させることができる。
【００１０】
請求項２に記載のコードレス通話システムは、前記親機は、その記憶部に前記複数の子機の前記記憶部に記憶されている電話帳データが存在していない場合には、前記複数の子機から存在していない電話帳データを取得することを特徴とする。
【００１１】
請求項２に記載のコードレス通話システムによれば、子機の記憶部に記憶された電話帳データに親機の記憶部に記憶されていない独自の電話帳データであった場合、親機は子機からその電話帳データを取得することにより電話帳データの共通化を可能とすることができる。
【００１２】
請求項３に記載のコードレス通話システムは、前記親機は、新たな電話帳データの追加若しくは修正があった場合には、その電話帳データの登録終了操作と同時に前記子機の全て対して追加若しくは修正された電話帳データを同時に無線登録することを特徴とする。
【００１３】
請求項３に記載のコードレス通話システムによれば、親機の記憶部に新たな電話帳データが追加された場合や、既に記憶されていた電話帳データに修正が施された場合に、その電話帳データの新規の追加操作或いは修正操作が完了した時点で全ての子機に対して追加・修正された電話帳データを追加・修正の登録をすることができる。
【００１４】
請求項４に記載のコードレス通話システムは、前記親機は、前記記憶部に記憶されている電話帳データの消去があった場合には、その電話帳データの消去終了操作と同時に前記子機の全て対して消去された電話帳データを同時に無線消去することを特徴とする。
【００１５】
請求項４に記載のコードレス通話システムによれば、親機の記憶部に記憶された電話帳データが消去された場合に、その電話帳データの消去操作が完了した時点で全ての子機に対して消去された電話帳データの消去をすることができる。
【００１６】
請求項５に記載のコードレス通話システムは、前記親機は、前記複数の子機から前記親機の前記記憶部に記憶された電話帳データの無線転送要求がされた場合には、前記複数の子機の全てに対して同時に電話帳データを無線転送することを特徴とする。
【００１７】
請求項５に記載のコードレス通話システムによれば、電話帳データの追加・修正・消去が子機の操作によって行われた際や、新たに子機を増設した際のように、親機と子機との間でのデータの不整合が子機側の理由により発生した場合に、子機側からの要求により親機と全ての子機との電話帳データの整合処理を行うことができる。
【発明の効果】
【００１８】
親機と複数の子機との間での電話帳データの無線転送の容易化並びに電話帳データの共通化を実現することができる。
【発明を実施するための最良の形態】
【００１９】
次に、本発明の一実施形態に係るコードレス通話システムについて、図面を参照して説明する。
【００２０】
図３に示すように、コードレス通話システム１は、１台のファクシミリ装置等の親機１０と、この親機１０と無線通信可能な複数（ここでは２台）の子機２０，３０とを備えている。
【００２１】
親機１０は、図２（Ａ）に示すように、テンキーやファンクションキーといった通話操作等に用いられる操作部１１と、ＥＥＰＲＯＭ等の記憶部１２と、液晶画面等の表示部１３と、子機２０，３０との無線通信用のアンテナ１４を備えた送受信部１５と、これらを制御する制御部１６とを備えている。
【００２２】
子機２０は、図２（Ｂ）に示すように、テンキーやファンクションキーといった通話操作等に用いられる操作部２１と、ＥＥＰＲＯＭ等の記憶部２２と、液晶画面等の表示部２３と、親機１０との無線通信用のアンテナ２４を備えた送受信部２５と、これらを制御する制御部２６とを備えている。
【００２３】
子機３０は、図２（Ｃ）に示すように、テンキーやファンクションキーといった通話操作等に用いられる操作部３１と、ＥＥＰＲＯＭ等の記憶部３２と、液晶画面等の表示部３３と、親機１０との無線通信用のアンテナ３４を備えた送受信部３５と、これらを制御する制御部３６とを備えている。
【００２４】
尚、子機２０，３０は、ここでは説明の便宜上、実質的に同一のものを２台使用しているが、親機１０との無線接続が可能であると共に、その無線接続とは独立して屋外での通話が可能な携帯式移動通信端末（例えば、ＰＨＳ等）を含めても良いし、台数を３台以上としても良い。
【００２５】
また、図２においては、例えば、着呼認識用のスピーカやファクシミリとして使用する際の読み取り・書き込み装置といった機器は図示並びにその説明は省略しているが、公知の通話等の機能に関する装置等を具備していることは勿論である。
【００２６】
次に、本実施形態に係るコードレス通話システムについて、図１に示すシーケンス図に基づいて説明する。尚、ここでは電話帳データの無線転送に関する動作のみを説明し、通常の通話や内線通話等の電話機能の説明は省略し、電話回線を通じての外部等との通話や内線通話を行っていない状態で説明する。
【００２７】
図１に示すように、制御チャンネルによる親機１０と子機２０、３０のリンク後に、通話チャンネルに移り、親機１０は操作部１１を操作して記憶部１２に記憶された相手先電話番号・相手先名（漢字・読み）を子機２０，３０の記憶部２２，３２に対して無線転送する操作を開始すると、先ず親機１０から子機２０に対して電話帳データの転送を開始する旨の要求信号が送信され、子機２０はその要求を認識した旨のＡＣＫ信号を親機１０に送信する。
【００２８】
また、親機１０から子機３０に対して電話帳データの転送を開始する旨の要求信号が送信され、子機３０はその要求を認識した旨のＡＣＫ信号を親機１０に送信する。
【００２９】
次に、親機１０は、子機２０，３０に対して、同時に電話帳データの転送開始のコマンドを送信し、子機２０，３０はその要求を認識した旨のＡＣＫ信号を親機１０に送信する。
【００３０】
さらに、親機１０は、転送する電話帳データの件数に相当するデータ量に基づいて、各子機２０，３０の記憶部２２，３２の空き容量が充分であるかの確認要求を行い、子機２０，３０は空き容量ＯＫの旨のＡＣＫ信号を親機１０に送信する。尚、空き容量がＮＧの場合には、可能な容量分だけの電話帳データを無線転送するか、エラーとして全て若しくはＮＧとなった子機２０又は子機３０に対する無線転送は行わないものとする。
【００３１】
次に、親機１０は、記憶部１２に記憶された電話帳データを１件毎に子機２０，３０に同時に無線転送する。
【００３２】
この際、例えば、１件分の電話帳データが相手先電話番号・相手先名の読み（カナ等）・漢字等を順次無線転送すると共に、子機２０，３０から転送内容の確認信号を受信し、このシーケンス（図示鎖線で囲んだシーケンス）を転送件数分行う。
【００３３】
そして、全ての件数の転送が終了すれば、親機１０は子機２０，３０に転送終了信号を送信し、子機２０，３０はその信号を認識した旨のＡＣＫ信号を親機１０に送信して無線が切断される。
【００３４】
図４に示すように、相手先名をカナのみで記憶している機器などでは、相手先名はカナで行われ、図５に示すように、電話番号のみの場合には電話番号のみで行われる。
【００３５】
さらに、上述した説明は、例えば、新規購入して複数の相手先を親機１０に登録し、その登録が完了した時点で子機２０，３０に無線転送する場合などの場合を総てして説明したが、これに限定されるものではない。
【００３６】
例えば、子機２０の記憶部２２に記憶された電話帳データに親機１０の記憶部１２に記憶されていない独自の電話帳データがあった場合、親機１０は子機２０からその電話帳データを取得すれば電話帳データの共通化を可能とすることができる。
【００３７】
また、親機１０の記憶部１２に新たな電話帳データが追加された場合や、既に記憶されていた電話帳データに修正が施された場合に、その電話帳データの新規の追加操作或いは修正操作が完了した時点で全ての子機２０，３０に対して追加・修正された電話帳データを追加・修正の登録をすることもできる。
【００３８】
さらに、親機１０の記憶部１２に記憶された電話帳データが消去された場合に、その電話帳データの消去操作が完了した時点で全ての子機２０，３０に対して消去された電話帳データの消去をすることができる。
【００３９】
また、電話帳データの追加・修正・消去が子機２０，３０の操作によって行われた際や、新たに子機２０，３０を増設した際のように、親機１０と子機２０，３０との間でのデータの不整合が子機２０，３０側の理由により発生した場合に、子機２０，３０側からの要求により親機１０と全ての子機２０，３０との電話帳データの整合処理を行うことができる。
【００４０】
これら実施形態では、親機１０にチューナーが１つだけ存在する場合について説明した。次の実施例では、親機１０にチューナーを２つ搭載させている。以下、この実施例について説明する。
【００４１】
親機にチューナーが２つ搭載されている場合には、図６に示すように、親機には送受信部１５が２つ搭載されている。これにより、親機１０から複数の子機２０、３０同時に電話帳データを送信することが可能である。尚、親機１０に送受信部１５が搭載されている場合でも、子機２０の回路構成は変わらないため、説明を省略する。
【００４２】
次に図７のシーケンス図を用いて動作を説明する。
【００４３】
まず、親子間が制御チャンネルにより接続した後、通話チャンネルに移り、図７に示すように、親機１０は操作部１１を操作して記憶部１２に記憶された相手先電話番号・相手先名（漢字・読み）を子機２０，３０の記憶部２２，３２に対して無線転送する操作を開始すると、先ず親機１０から子機２０と子機３０に対して電話帳データの転送を開始する旨の要求信号が送信され、子機２０、３０はその要求を認識した旨のＡＣＫ信号を親機１０に送信する。
【００４４】
また、親機１０から子機２０、３０に対して電話帳データの転送を開始する旨の要求信号が送信され、子機２０、３０はその要求を認識した旨のＡＣＫ信号を親機１０に送信する。尚、この時、親機１０の２つの送受信部１５を用いて、子機２０、３０と親機１０との間で同時にデータの送受信が行われる。以下の動作も同様であり、親機１０から子機２０、子機３０に電話番号、読み、漢字データ等を送信する際には、２つの送受信部１５を用いて同時に送信される。
【００４５】
次に、親機１０は、子機２０，３０に対して、同時に電話帳データの転送開始のコマンドを送信し、子機２０，３０はその要求を認識した旨のＡＣＫ信号を親機１０に送信する。
【００４６】
さらに、親機１０は、転送する電話帳データの件数に相当するデータ量に基づいて、各子機２０，３０の記憶部２２，３２の空き容量が充分であるかの確認要求を行い、子機２０，３０は空き容量ＯＫの旨のＡＣＫ信号を親機１０に送信する。尚、空き容量がＮＧの場合には、可能な容量分だけの電話帳データを無線転送するか、エラーとして全て若しくはＮＧとなった子機２０又は子機３０に対する無線転送は行わないものとする。
【００４７】
次に、親機１０は、記憶部１２に記憶された電話帳データを１件毎に子機２０，３０に同時に無線転送する。
【００４８】
この際、例えば、１件分の電話帳データが相手先電話番号・相手先名の読み（カナ等）・漢字等を順次無線転送すると共に、子機２０，３０から転送内容の確認信号を受信し、このシーケンス（図示鎖線で囲んだシーケンス）を転送件数分行う。
【００４９】
そして、全ての件数の転送が終了すれば、親機１０は子機２０，３０に転送終了信号を送信し、子機２０，３０はその信号を認識した旨のＡＣＫ信号を親機１０に送信して無線が切断される。
【００５０】
このようにして、２つの送受信部１５を用いれば、略同時に子機２０、３０に電話帳データを転送でき、１つの送受信部１５を搭載した場合に比べて素早く転送ができる。
【図面の簡単な説明】
【００５１】
【図１】本発明のコードレス通話システムの動作シーケンスの説明図である。
【図２】本発明のコードレス通話システムを示し、（Ａ）は親機のシステムブロック図、（Ｂ），（Ｃ）は子機のシステムブロック図である。
【図３】本発明のコードレス通話システムの説明図である。
【図４】本発明のコードレス通話システムの変形例１の動作シーケンスの説明図である。
【図５】本発明のコードレス通話システムの変形例２の動作シーケンスの説明図である。
【図６】本実施例装置の親機を示すブロック図である。
【図７】親機にチューナーを２つ設けた際の動作を示すシーケンス図である。
【符号の説明】
【００５２】
１０  親機
１１  操作部
１２  記憶部
２０  子機
２１  操作部
２２  記憶部
３０  子機
３１  操作部
３２  記憶部
【図１】
2006262269.tif 000003
【図２】
2006262269.tif 000004
【図３】
2006262269.tif 000005
【図４】
2006262269.tif 000006
【図５】
2006262269.tif 000007
【図６】
2006262269.tif 000008
【図７】
2006262269.tif 000009